(57)【特許請求の範囲】
【請求項１】
ドアを開閉するためにドア枠に取り付けられた蝶番と、
ドアの蝶番側の端に、ドアの上下方向に形成された第１の切り欠き部と、
第１の切り欠き部のドアの端面に沿って上下方向に延びるように接着されたゴムからなる第１の保護部材と、
ドアの蝶番側のドア枠に第１の保護部材と対向するように接着されたゴムからなる第２の保護部材と、を備え、前記第１及び第２の保護部材は、中空パイプ構造を有し、該中空パイプ構造の中央付近は凹んでおり、ドアが閉じた状態で第１の保護部材と第２の保護部材の間に両端が閉じた隙間が形成されることを特徴とするドアの安全構造。
【請求項２】
ドアの取手側の端に、ドアの上下方向に形成された第２の切り欠き部と、
第２の切り欠き部の端面に沿って上下方向に延びるように接着されたゴムからなる第３の保護部材と、
ドアの取手側のドア枠に第３の保護部材と対向するように接着された第４の保護部材と、を備えることを特徴とする請求項１に記載のドアの安全構造。
【請求項３】
前記第３及び第４の保護部材は、中空パイプ構造を有し、該中空パイプ構造の中央付近は凹んでおり、ドアが閉じた状態で第３の保護部材と第４の保護部材の間に両端が閉じた隙間が形成されることを特徴とする請求項２に記載のドアの安全構造。
【発明の詳細な説明】
【技術分野】
【０００１】
本発明は、ドアの安全構造に関するものであって、手指などがドアとドア枠との間に挟まれて怪我をするのを防止するためのドアの安全構造に関する。
【背景技術】
【０００２】
ドアとドア枠の接合箇所には、蝶番が設けられ、ドアの開放時、ドアとドア枠の隙間に挟角ができ、その部分に手や指を挟む危険性がある。特に、子供は、背が低く、ドアの取手に届かないことが多いことから、ドアの開閉部分に手や指を挟まれて怪我をする事故が少なくない。
【０００３】
特許文献１には、このような、ドアの開閉部に挟まれる事故を防止するために、ドアとドア枠との隙間部分を覆うカバーシートを設けたドアの安全装置が開示されている。カバーシートはドアとドア枠にビス止め等により取り付けられる。
【先行技術文献】
【特許文献】
【０００４】
【特許文献１】特開２００９−２９９４４７号公報
【発明の概要】
【発明が解決しようとする課題】
【０００５】
特許文献１のドアの安全装置は、ドアとドア枠との隙間部分をカバーシートで覆うことにより、隙間部分に手指が差し込まれないようにしたものである。
【０００６】
これに対して本発明は、特許文献１のドアの安全装置とは着想を異にするものであり、当該隙間部分に手指が差し込まれたとしても安全を確保するとともに、耐久性に優れたドアの安全構造を提供することを目的とするものである。
【課題を解決するための手段】
【０００７】
本発明のドアの安全構造は、上記課題を解決するために、ドアを開閉するためにドア枠に取り付けられた蝶番と、ドアの蝶番側の端に、ドアの上下方向に形成された第１の切り欠き部と、第１の切り欠き部のドアの端面に沿って上下方向に延びるように接着されたゴムからなる第１の保護部材と、ドアの蝶番側のドア枠に第１の保護部材と対向するように接着されたゴムからなる第２の保護部材と、を備え、前記第１及び第２の保護部材は、中空パイプ構造を有し、該中空パイプ構造の中央付近は凹んでおり、ドアが閉じた状態で第１の保護部材と第２の保護部材の間に両端が閉じた隙間が形成されることを特徴とする。
【発明の効果】
【０００８】
本発明によれば、ドアとドア枠との隙間部分に人の手指が差し込まれたとしても安全を確保するとともに、耐久性に優れたドアの安全構造を提供することができる。
【０００９】
本発明は親子連れの顧客が多く来店する店舗のトイレのドアに用いて好適であるが、一般のドアに広く適用することができるものである。
【図面の簡単な説明】
【００１０】
【図１】本発明の実施形態におけるドアの安全構造の正面図である。
【図２】第１及び第２の保護部材の構造を示す第１の断面図である。
【図３】第１及び第２の保護部材の構造を示す第２の断面図である。
【図４】第１及び第２の保護部材の構造を示す第３の断面図である。
【発明を実施するための形態】
【００１１】
本発明の実施形態を図面に基づいて説明する。図１は、本発明の実施形態におけるドアの安全構造の正面図であり、ドアが閉じた状態を示している。図２は、第１及び第２の保護部材の構造を示す第１の断面図である。
【００１２】
ドア１を開閉するためにドア１とドア枠２の間に、上下に一対の蝶番３，３が取り付けられている。ドア１の蝶番側の端には、一対の蝶番３，３の間であって、ドア１の上下方向に長い第１の切り欠き部４が形成されている。この第１の切り欠き部４のドア１の端面に沿って上下方向に延びるようにゴムからなる第１の保護部材５が接着剤で接着されている。また、ドア１の蝶番側のドア枠２に第１の保護部材５と対向するようにゴムからなる第２の保護部材６が接着剤で接着されている。ドア１そのものは、木材や鋼材からなる。
【００１３】
第１の保護部材５は第１の切り欠き部４の切り欠き深さの途中までの高さを有しており、ドア１が閉じられた状態では、第１の保護部材５の先端と、ドア枠２からドア１の方向に突出した第２の保護部材６の先端とは、第１の切り欠き部４の中で互いに接触している。なお、図１で図示された蝶番３はビポットヒンジであるが、その他のタイプの蝶番、例えば、グレビティーヒンジであってもよい。
【００１４】
第１及び第２の保護部材５，６の好ましい形態としては、図２に示すように、これら保護部材は中空パイプ構造になっている。図２（ａ）はドア１が閉じた状態を示し、図２（ｂ）はドア１が途中まで開いた状態を示している。図２は、上面から見て、第１の切り欠き部４を水平方向に切った断面図に対応している。
【００１５】
図２（ｂ）に示すように、ドア１が開いた状態では、ドア１とドア枠２の間に隙間部分Ｓが生じる。この隙間部分Ｓに人の手指が差し込まれ、その後ドア１が閉じられ時に、手指が挟まれたとしても、中空パイプ構造の第１及び第２の保護部材５，６が柔軟に弾性変形することにより、手指は怪我から保護される。このような中空パイプ構造の第１及び第２の保護部材５，６は、厚さが数ミリメートルの軟質ゴムで形成されることが好ましい。
【００１６】
また、ドア１が閉じられた状態では、第１の保護部材５の先端と第２の保護部材６の先端とが第１の切り欠き部４の上下に渡って少なくとも部分的に接触することにより、第１の保護部材５と第２の保護部材６の隙間を通して室内（例えば、トイレ内）が覗かれないようになっている。
【００１７】
第１及び第２の保護部材５，６の他の好ましい形態としては、図３に示すように、これらの保護部材は中空パイプ構造になっており、かつ中空パイプ構造の中央付近は凹んでおり、ドア１が閉じた状態で第１の保護部材５と第２の保護部材６の間に両端が閉じた隙間Ｓ１が形成されることである。つまり、第１の保護部材５と第２の保護部材６の前後の両端だけが接触している。このような構造によれば、ドア１とドア枠２の隙間部分Ｓに手指が挟まれたときに、手指がこの第１の保護部材５と第２の保護部材６の間の隙間Ｓ１に入り込み、第１の保護部材５と第２の保護部材６の弾性変形と相俟って手指に対する衝撃がさらに緩和される。
【００１８】
この場合も、第１の保護部材５と第２の保護部材６の前後の両端が接触していることから、それらの隙間を通して室内（例えば、トイレ内）が覗かれないようになっている。
【００１９】
第１及び第２の保護部材５，６のもう一つ他の好ましい形態としては、図４に示すように、第１及び第２の保護部材５，６はそれぞれ凹部と凸部を有し、第１の保護部材５の凸部５ａが第２の保護部材６の凸部５ａに対向し、第１の保護部材５の凹部５ｂが第２の保護部材６の凸部６ａに対向するように配置することにより、ドア１が閉じた状態で第１の保護部材５と第２の保護部材６の間にＳ字状の隙間Ｓ２が形成されることである。
【００２０】
このような構造によれば、ドア１とドア枠２の隙間部分Ｓに手指が挟まれたときに、手指がこの第１の保護部材５と第２の保護部材６の間のＳ字状の隙間Ｓ２に入り込み、第１の保護部材５と第２の保護部材６の弾性変形と相俟って手指に対する衝撃がさらに緩和される。
【００２１】
この場合、第１の保護部材５と第２の保護部材６は接触していないが、Ｓ字状に湾曲した隙間Ｓ２が形成されることから、隙間Ｓ２を通して室内（例えば、トイレ内）を覗くことができないようになっている。これらの形態の場合にも、第１及び第２の保護部材５，６は軟質ゴムで形成されることが好ましい。
【００２２】
一方、ドア１の取手７の側についても、ドア１とドア枠２との隙間に人の手指が差し込まれたとしても安全を確保するために、上記と同じ構造を採用することが好ましい。
【００２３】
すなわち、ドア１の取手側の端に、上下方向に長い第２の切り欠き部８が形成されている。この第２の切り欠き部８のドア１の端面に沿って上下方向に延びるようにゴムからなる第３の保護部材９が接着剤で接着されている。また、ドア１の取手側のドア枠２に第３の保護部材９と対向するようにゴムからなる第４の保護部材１０が接着剤で接着されている。
【００２４】
また、第３の保護部材９、第４の保護部材１０の構造としては、図２乃至図４に示した構造を採用することができる。
【００２５】
以上説明したように、本発明の実施形態におけるドアの安全構造によれば、ドア１とドア枠２との隙間部分に人の手指が差し込まれたとしても、ゴムからなる第１の保護部材５と第２の保護部材６（又は第３の保護部材９と第４の保護部材１０）が、いわばクッション材として作用することにより手指を怪我から保護することができる。また、本発明の実施形態におけるドアの安全構造によれば、保護部材をドア１、ドア枠２に接着しているので、長年の使用に耐え得る、耐久性に優れたドアの安全構造を提供するものである。
【００２６】
なお、ドア１に切り欠き部を形成するだけでも、手指が挟まれることをある程度防止できるが、この場合はドア１の外観が悪くなるし、切り欠き部を通して部屋の中が覗かれるという問題もある。一方、切り欠き部を形成せずに保護部材を取り付けると、ドア１の開閉が困難になるという問題がある。そこで、本発明では、ドア１に切り欠き部を形成し、切り欠き部の中で、ドア１とドア枠２の両面にゴムからなる保護部材を接着することにより、上記問題を同時に解決したものである。
【符号の説明】
【００２７】
１  ドア
２  ドア枠
３  蝶番
４  第１の切り欠き部
５  第１の保護部材
６  第２の保護部材
７  取手
８  第２の切り欠き部
９  第３の保護部材
１０  第４の保護部材
【図１】
0005613742.tif 000002
【図２】
0005613742.tif 000003
【図３】
0005613742.tif 000004
【図４】
0005613742.tif 000005